(57)【特許請求の範囲】
【請求項１】
鍵盤吹奏楽器を収納する携帯用のケースであって、
ケース本体は柔軟性を有する素材によって型成形され、楽器本体を載置する下部ケースと下部ケース上に載置した楽器本体を覆う上部ケースとから成り、
下部ケースと上部ケースとは、下部ケースの前部で高く後部で低く、上部ケースの前部で低く後部で高く、前後で高低差があり、かつ、下部ケースと上部ケースの左右両側部では上記高低差を斜めにつないだ傾斜状の境界線によって上下に分割されるとともに、境界線に沿う開口の縁に設けたファスナーによって開閉可能に結合されており、前記ファスナーがスライドファスナーであり、上記ファスナーを開き切ったときにスライダーはヒンジ部の両端部に配置され、かつ、
上部ケースと下部ケースとは後部にてヒンジ結合され、それによって上部ケースがヒンジ部を中心に回転し、上部ケース背面の角部を支点として後方へ傾斜して起立することを特徴とする鍵盤吹奏楽器の携帯用収納ケース。
【請求項２】
下部ケースは、楽器本体の脚部が収まって固定される突状の仕切り部をその内面の底部に有している請求項１記載の鍵盤吹奏楽器の携帯用収納ケース。
【請求項３】
下部ケースは、楽器本体に取り付けた卓奏用唄口のパイプ部を配置する空所と唄口の保持部を、楽器本体の脚部が固定される突状の仕切り部に関連して設けている請求項１記載の鍵盤吹奏楽器の携帯用収納ケース。
【請求項４】
下部ケースは、立奏用唄口の保持部を、楽器本体の脚部が収まって固定される突状の仕切り部の側方に有している請求項１記載の鍵盤吹奏楽器の携帯用収納ケース。
【請求項５】
上部ケースは、下部ケース上に載置した楽器本体の後側上部に接して押える内方への突部を、その内面の後側上部に有している請求項１記載の鍵盤吹奏楽器の携帯用収納ケース。
【発明の詳細な説明】
【技術分野】
【０００１】
本発明は、鍵盤吹奏楽器を収納する携帯用のケースに関するものである。
【背景技術】
【０００２】
鍵盤吹奏楽器は、小学生が授業で使用するために家庭と学校、また、学校内での教室と音楽室或いは教室外への移動を考慮し、ケースに収納して携帯するのが普通である。鍵盤吹奏楽器を音楽室で使用する場合、ケースを机の上に置き、開いたときにその状態で教科書や楽譜を見ながら演奏できることが必要であり、ケースを譜面台として使用するときにはケースを開いてその内部に楽器本体を置き、卓奏用唄口を本体に取り付けて演奏することとなる。また、持ち運びの際には鍵盤吹奏楽器をケース内部にしっかりと固定して傷が付かないようになっていなければならない。さらに、ケース内部には、卓奏用唄口、立奏用唄口及び取扱説明書などを収納することも必要である。
【０００３】
従来のケースには、プラスチックを素材としてブロー成形などによって型成形されたもの（ハードケースと呼ばれる）と、プラスチックシートや布材を用いて縫製したもの（ソフトケースと呼ばれる）が存在した。ハードケースには剛性があり、収納した鍵盤吹奏楽器の保護に最も有効であり、譜面立てとしても代用可能であるが、持ち運びの際に身体に当たると痛いことがあり、また重量も重い。ソフトケースは柔軟性があるためぶつかっても痛くはなく、かつ軽量であるが、スライドファスナーがヒンジ部分の方に回り込んでいないものがほとんどで、ケースから一旦取り出さなければ使用できない点が不便であり、プラスチック成形品のハードケースでは型成形が可能であった卓奏用唄口、立奏用唄口などの保持構造として、新たに別部品の取り付けが必要になり、教科書や楽譜を支えるには柔軟性のために強度不足である。
【０００４】
これに対して提案されている技術的な改良案は多くはない、というよりもほとんど見当たらない。例えば、最近ではフルートの楽器ケースに関する特開２００７−２４９５１号があるが、これはハードケースであって軽量でもなければ柔軟でもなく、唄口の保持構造や譜面台としての機能などは必要とされていないし、その審査に関する引用文献である実開昭５５−６２４７号は鍵盤吹奏楽器用の収納ケースについては、いわゆるハードケースであり、前述の問題点を解決する上で何も示唆されるところはない。
【０００５】
【特許文献１】特開２００７−２４９５１号
【特許文献２】実開昭５５−６２４７号
【発明の開示】
【発明が解決しようとする課題】
【０００６】
本発明は前記の点に着目してなされたもので、その課題は、適度の剛性と柔軟性を有するいわゆるセミハードケースから成る鍵盤吹奏楽器の携帯用収納ケースにおいて、卓奏用唄口、立奏用唄口などの保持構造ないしは教科書や楽譜を支える機能を具備させることにある。また、本発明の他の課題は、楽器本体を有効に保護してしかも使用し易い鍵盤吹奏楽器の携帯用収納ケースを提供することである。
【課題を解決するための手段】
【０００７】
前記の課題を解決するため、本発明は鍵盤吹奏楽器を収納する携帯用のケースとして、
ケース本体が柔軟性を有する素材によって型成形され、楽器本体を載置する下部ケースと下部ケース上に載置した楽器本体を覆う上部ケースとから成り、下部ケースと上部ケースとは、下部ケースの前部で高く後部で低く、上部ケースの前部で低く後部で高く、前後で高低差があり、かつ、下部ケースと上部ケースの左右両側部では上記高低差を斜めにつないだ傾斜状の境界線によって上下に分割されるとともに、境界線に沿う開口の縁に設けたファスナーによって開閉可能に結合されており、上部ケースと下部ケースとは後部にてヒンジ結合され、それによって上部ケースがヒンジ部を中心に回転し、上部ケース背面の角部を支点として後方へ傾斜して起立するように構成するという手段を講じたものである。
【０００８】
本発明の鍵盤吹奏楽器の携帯用収納ケースは、ケース本体が柔軟性を有する素材によって型成形されているいわゆるセミハードケースに属するものである。この種のセミハードケースを形成する素材は、プラスチックと布の複合材料などを用いて型成形して製作されることが多いものであるが、薄肉構造であり、柔軟性、弾力性を有するとともに、軽量であることを特徴とする。
【０００９】
ケース本体は例えば上記のような柔軟性を有する素材によって型成形されており、楽器本体を載置する下部ケースと下部ケース上に載置した楽器本体を覆う上部ケースとから成るものである。上記下部ケースと上部ケースとの境界は、下部ケースの前部で高く後部で低く、上部ケースの前部で低く後部で高く、前後で高低差があり、かつ、下部ケースと上部ケースの左右両側部では上記高低差を斜めにつないだ境界線によって上下に分割されている。そのため上部ケースの後部で高い形態が、上部ケースを開けたときの支点を下部ケースから遠ざけることになる。
【００１０】
上部ケースと下部ケースとは、境界線の後部にてヒンジ結合され、それによって上部ケースはヒンジ部を中心に回転して開くことができるが、その回転の途中で上部ケース背面の角部を支点として上部ケースが後方へ傾斜して起立するものである。つまり、下部ケースと上部ケースの境界線における高低差によって、本発明の収納ケースを卓上において上部ケースを開いたとき、下部ケースの下面からヒンジ部までの距離ｒ１よりも、卓の表面に接した上部ケースの背面の角部からヒンジ部までの距離ｒ２の方が長いので、上部ケースが直立位置を超えた一定の角度Ｓで起立し、教科書や楽譜を支える機能を具備することになる（図６Ｂ参照）。
【００１１】
上部ケースと下部ケースは後部にてヒンジ結合されるとともに、境界線に沿う開口の縁に設けたファスナーによって開閉可能に結合される。ケース内部構造として、上記下部ケースは、楽器本体の脚部が収まって固定される突状の仕切り部をその内面の底部に有していることが望ましい。楽器本体の脚部は突状の仕切り部と係合して移動しないように固定されるのである。この仕切り部は楽器本体に対して後部に設ければ良く、楽器本体の前部は、下部ケースの前部で高い部分との係合によって拘束することができる。
【００１２】
下部ケースは、楽器本体に取り付けた卓奏用唄口のパイプ部を配置する空所と唄口の保持部を、楽器本体の脚部が固定される突状の仕切り部の前後何れか望ましくは後方に有している。上記空所と唄口の保持部は、上記突状の仕切り部と下部ケースの後部で低い部分との間に設定することができる。
【００１３】
また、下部ケースは、立奏用唄口の保持部を、楽器本体の脚部が収まって固定される突状の仕切り部の側方に有しているのも望ましいことである。そして、上部ケースが、下部ケース上に載置した楽器本体の後側上部に接して押える内方への突部を、その内面の後側上部に有しているようにすれば、持ち運びの際に鍵盤吹奏楽器がケース内部によりしっかりと固定されることになる。
【発明の効果】
【００１４】
本発明は以上のように構成されかつ作用するものであるから、柔軟性を有するいわゆるセミハードケースから成る鍵盤吹奏楽器の携帯用収納ケースにおいて、卓奏用唄口、立奏用唄口などの保持構造及び教科書や楽譜を支える機能を具備させることにある。また、本発明の他の課題は、楽器本体を有効に保護してしかも使用し易い鍵盤吹奏楽器の携帯用収納ケースを提供することができる。
【発明を実施するための最良の形態】
【００１５】
以下図示の実施形態を参照して本発明をより詳細に説明する。図１は本発明に係る鍵盤吹奏楽器の携帯用収納ケース１０の一例を示す正面図であり、ケース本体１１は柔軟性を有する素材によって型成形されており、楽器本体２０を載置する下部ケース１２と下部ケース１２上に載置した楽器本体２０を覆う上部ケース１３とから成る。
【００１６】
下部ケース１２と上部ケース１３とは、下部ケース１２がその前部１４で高く後部１５で低く、上部ケース１３はその前部１６で低く後部１７で高く、前後で高低差があり、かつ、下部ケース１２と上部ケース１３の左右両側部ではそこに現れる上記高低差を斜めにつないだ傾斜状の境界線によって上下に分割されている（図２、図３等参照）。なお、本発明の携帯用収納ケース１０では、下部ケース上に楽器本体を載置して演奏するときに演奏者に近い方を前、遠い方を後と規定している。
【００１７】
このように、ケース本体１１は下部ケース１２と上部ケース１３の分割境界線を開口の縁１８、１９とすることになり、その上部ケース１３と下部ケース１２とはそれらの後部にてヒンジ結合され、それによって上部ケース１３がヒンジ部２１を中心に回転可能に構成されている。ヒンジ部２１は図６Ａに図示したように、下部ケース１２の低い後部１５と、上部ケース１３の高い後部１７とを背中合わせに配置するとともに、下部ケース１２の低い後部１５の外側の上端部と、上部ケース１３の高い後部１７の外側の上端部（背中合わせなので実際には下端部）とをヒンジ部材２２によって連結した構成とするのが望ましい。図示の例においては、ヒンジ部材２２の両端部を各ケース側に縫着する際にヒンジ部材２２の下端部を「し」の字型に折り返し、袋縫いのようにして縫着部２３ａ、２３ｂが隠されるように処理している（図６Ａ〜Ｃ参照）。なお、図示のヒンジ部材２２は帯状の布材から成り、ケース本体左右方向のほぼ全幅にわたる範囲に設けられ、その左右両端部は後述するファスナー２４に続いている。
【００１８】
本発明の収納ケース１０では、下部ケース１２の立ち上がり状の前部１４と後部１５及び上部ケース１３立ち下がり状の前部１６と後部１７という前後の部分に高低差を設け、下部ケース１２に対して上部ケース１３を開いたときに、上部ケース１３の下位に位置する後部１７の角部２５を支点として支えられ後方へ傾斜して起立することとなる。即ち、本発明の収納ケース１０を開いたときに、下部ケース１２の下面からヒンジ部２１までの距離ｒ１よりも、卓面２６に接した上部ケース１３の背面の角部からヒンジ部までの距離ｒ２の方を長くし易いので、上部ケース１３が一定の角度Ｓで後方へ傾斜しこの状態を保って起立するものである（図６Ｂ参照）。従って、上部ケース１３を譜面立て等に使用できることが理解されるであろう。
【００１９】
上部ケース１３と下部ケース１２とは、ヒンジ結合されている後部以外の部分では、境界線に沿う開口の縁１８、１９に設けたファスナー２４によって開閉可能に結合される。ファスナー２４としては、一対の噛み合い歯２４ａ、２４ｂとスライダー２４ｃ、２４ｄとから成るスライドファスナーが適しているが、それに限定されるわけではない。スライドファスナーを用いる場合、境界線左右の傾斜角度の部分において多少のストレスが掛かると考えられる。なお、本発明を開発する過程で行った実験では、卓面２６に対して上部ケース１３の正面が立ち上がる上記一定の角度Ｓは約１１７度が適している（角度Ｓの数値は例であって厳密なものではない）。このとき、境界線左右の傾斜角度Ｔは７度であったから、それほど大きい角度ではなくファスナー２４の開閉し易さを損なうほどのストレスではない。また、ファスナー２４を開き切ったときにスライダー２４ｃ、２４ｄはヒンジ部２１の両端部に配置されるが、その際にファスナー噛み合い歯２４ａ、２４ｂの開き切る位置がスライダー２４ｃ、２４ｄの開き方向の移動端部即ち、上記両端部となるようにすると、上部ケース１３がそれ以上後方へ回転する（倒れる）のを抑制するように作用する。これによって、上部ケース１３を譜面立てとして使用するときの安定性が増す。
【００２０】
上記下部ケース１２は、楽器本体２０の脚部２７が収まって固定される突状の仕切り部２８をその内面の底部に有しており、これによって楽器本体２０が脚部２７にて突状の仕切り部２８と係合し、移動しないように固定されることになる（図２及び図１０参照）。図示の例における仕切り部２８はほぼコノ字型を有しており、楽器本体２０の脚部２７に対して後部と左右側部にて係合するとともに、後部及び左右にスペースを設け、このスペースを利用して後述する唄口の収納と固定を行っている。楽器本体２０の前部では、下部ケース１２の前部１４の高い部分との係合によって鍵盤吹奏楽器自体の前部が接触して拘束され、右側部では後述する立奏用唄口の保持部３４にも接触し得る（図４、図５、図７及び図８等参照）。
【００２１】
さらに、下部ケース１２は、楽器本体２０に取り付けた卓奏用唄口３０のパイプ部２９を配置する空所３１と唄口保持部３２を、楽器本体２０の脚部２７が固定される突状の仕切り部２８の後方に有している。空所３１と唄口の保持部３２は、ともに上記突状の仕切り部２８と下部ケース１２の後部で低い部分１５との間に設定されている（図２参照）。卓奏用唄口３０は基部に曲り管部３０ａ、先端に唄口部３０ｂを有し、基部にて楽器本体２０に接続するとパイプ２９が後方へ向き収納性を良好にするようになっている。また、下部ケース１２は、立奏用唄口３３の保持部３４を、楽器本体２０の脚部２７が収まって固定される突状の仕切り部２８の右側方に有している。上記唄口保持部３２そして立奏用唄口保持部３４は布材等によって作成され、それらを下部ケース１２の内面の底部に縫着等の手段によって取り付けている。
【００２２】
さらに、上部ケース１３には、下部ケース上に載置した楽器本体２０の後側上部に接して押える内方への押え凸部３５をその内面の後側上部に設けており、これによって、鍵盤吹奏楽器が持ち運びの際にケース内部によりしっかりと固定されることになる。この押え凸部３５は上部ケース１３外面には凹み３５′となって現れる（図１参照）。各図中３６は提げ手を示す。
【００２３】
本発明の携帯用収納ケース１０は上記構成、作用を有しており、卓奏時において、ヒンジ部２１を中心に回転してケースを開くと、上部ケース１３を、背面の角部２５を支点として後方へ傾斜して起立させることができるので、携帯用収納ケース１０は、上部ケース１３を譜面類３７の支えとする譜面台として機能する（図８Ｂ参照）。また、携帯用収納ケース１０に収納した状態において、鍵盤吹奏楽器２０は、楽器本体２０の脚部２７が後部と左右側部にて仕切り部２８に係合して拘束され、楽器本体２０の前部では、下部ケース１２の前部１４と接触して拘束され、卓奏用唄口３０や立奏用唄口３３の保持部３２、３４もクッションとなっているので、持ち運び時に傷をつけることがない。従来のハードケースでは譜面立てを兼用できる半面硬くかつ重いのに対して、従来のソフトケースでは柔らかくかつ軽いけれども譜面立てを兼用できないという一長一端があった。しかし、本発明によれば軽量である程度の剛性もあるセミハードケースの鍵盤吹奏楽器の携帯用収納ケースであり、柔軟かつ軽量であるとともに、譜面立てとしても機能するので、従来のケースの長所を維持して短所を解消し、かつ十分な保護効果を発揮するものである。
【図面の簡単な説明】
【００２４】
【図１】本発明に係る鍵盤吹奏楽器の携帯用収納ケースの一例を示す斜視図である。
【図２】同上の収納ケースを開いた状態を示す斜視図である。
【図３】同上の収納ケースに鍵盤吹奏楽器を収納した状態を示す斜視図である。
【図４】同上の平面図である。
【図５】同じく正面図である。
【図６】同上の収納ケースにおけるヒンジ部を示すもので、Ａは上部ケースが後方に位置して収納ケースが開いた状態、Ｂは上部ケースを立てた状態、Ｃは上部ケースが下部ケースに重なり収納ケースを閉じた状態を示す断面図である。
【図７】同じく収納ケース全体を示す説明図である。
【図８】同じく収納ケースを開いた状態を示すもので、Ａは左側面図、Ｂは右側面図である。
【図９】同じく収納ケースを開いた状態を示す平面図である。
【図１０】図９のＸ−Ｘ線断面図である。
【図１１】図９のＸＩ−ＸＩ線断面図である。
【符号の説明】
【００２５】
１０  鍵盤吹奏楽器の携帯用収納ケース
１１  ケース本体
１２  下部ケース
１３  上部ケース
１４  下部ケースの前部
１５  下部ケースの後部
１６  上部ケースの前部
１７  上部ケースの後部
１８、１９  開口の縁
２０  楽器本体
２１  ヒンジ部
２２  ヒンジ部材
２３ａ、２３ｂ  縫着部
２４  ファスナー
２５  角部
２６  卓面
２７  脚部
２８  仕切り部
２９  パイプ部
３０  卓奏用唄口
３１  空所
３２  唄口保持部
３３  立奏用唄口
３４  同上の唄口保持部
３５  押え凸部
３６  提げ手
３７  譜面類
【図１】
0005383539.tif 000002
【図２】
0005383539.tif 000003
【図３】
0005383539.tif 000004
【図４】
0005383539.tif 000005
【図５】
0005383539.tif 000006
【図６】
0005383539.tif 000007
【図７】
0005383539.tif 000008
【図８】
0005383539.tif 000009
【図９】
0005383539.tif 000010
【図１０】
0005383539.tif 000011
【図１１】
0005383539.tif 000012